(57)【要約】【課題】表示手段で映像を適切に表示させることができる車載用ＴＶ装置を提供する。【解決手段】車載用ＴＶ装置１００のＣＨ設定手段２２０は、利用者による設定入力に基づいて、チャンネルプラン、および、ＴＶチューナ２１０で受信させる映像信号の放送方式を設定する。自車位置検出手段２４０は、車両の現在位置を検出する。映像方式決定手段２６２は、ＣＨ設定手段２２０で設定されたチャンネルプランおよび放送方式と、車両の現在位置と、に基づいて、ＴＶチューナ２１０で受信された映像信号に基づく映像を表示手段３１０で表示させる際の映像方式を決定する。表示制御手段２６３は、この決定された映像方式に基づいて、映像信号に基づく映像を表示手段３１０で表示させる制御をする。【選択図】図１
2007134766.tif 000002
【特許請求の範囲】
【請求項１】
所定の放送方式で放送され所定の映像方式で映像を表示させるための映像信号に基づく映像を表示手段で表示させる制御をする表示制御装置であって、
前記映像信号を受信可能な映像信号受信手段で受信させる前記映像信号の放送方式を設定する放送方式設定手段と、
現在位置を検出する現在位置検出手段と、
前記放送方式設定手段で設定された放送方式および前記現在位置検出手段で検出された現在位置に基づいて、前記映像方式を決定する映像方式決定手段と、
この映像方式決定手段にて決定された前記映像方式に基づいて、前記映像信号受信手段で受信された前記映像信号に基づく映像を前記表示手段で表示させる制御をする表示制御手段と、
を具備したことを特徴とした表示制御装置。
【請求項２】
請求項１に記載の表示制御装置であって、
前記放送方式設定手段は、前記現在位置検出手段で検出された前記現在位置に基づいて、前記映像信号受信手段で受信させる前記映像信号の放送方式を設定する
ことを特徴とした表示制御装置。
【請求項３】
請求項１または請求項２に記載の表示制御装置であって、
所定の領域において前記映像信号受信手段で受信可能な前記映像信号の周波数を設定する周波数設定手段を具備し、
前記映像方式決定手段は、前記設定された放送方式、前記検出された現在位置、および、前記周波数設定手段で設定された周波数に基づいて、前記映像方式を決定する
ことを特徴とした表示制御装置。
【請求項４】
請求項３に記載の表示制御装置であって、
前記放送方式を示す放送方式情報、所定の領域を示す所定領域情報、前記所定の領域において前記映像信号受信手段で受信可能な前記映像信号の周波数を示す周波数情報、および、前記映像方式を示す映像方式情報が関連付けられた映像関連情報を記憶する記憶手段を具備し、
前記映像方式決定手段は、前記放送方式設定手段で設定された放送方式を示す前記放送方式情報、前記現在位置検出手段で検出された現在位置を含む領域を示す前記所定領域情報、および、前記周波数設定手段で設定された周波数を示す前記周波数情報に関連付けられた前記映像関連情報を前記記憶手段から検索し、この検索した映像関連情報に関連付けられた前記映像方式情報で示される映像方式を、前記表示手段で表示させる映像の映像方式として決定する
ことを特徴とした表示制御装置。
【請求項５】
請求項４に記載の表示制御装置であって、
前記映像方式決定手段は、前記設定された放送方式を示す前記放送方式情報、前記検出された現在位置を含む領域を示す前記所定領域情報、および、前記設定された周波数を示す前記周波数情報に関連付けられた前記映像関連情報を検索できない場合、前記設定された放送方式を示す前記放送方式情報および前記設定された周波数を示す前記周波数情報に関連付けられた前記映像関連情報を検索し、この検索した映像関連情報に関連付けられた前記映像方式情報で示される映像方式を、前記表示手段で表示させる映像の映像方式として決定する
ことを特徴とした表示制御装置。
【請求項６】
請求項５に記載の表示制御装置であって、
前記映像方式決定手段は、前記設定された放送方式を示す前記放送方式情報および前記設定された周波数を示す前記周波数情報に関連付けられた前記映像関連情報を検索できない場合、前記映像信号に基づいて前記表示手段で表示させる映像の映像方式を決定する
ことを特徴とした表示制御装置。
【請求項７】
所定の放送方式で放送され所定の映像方式で映像を表示させるための映像信号を受信可能な映像信号受信手段と、
この映像信号受信手段で受信された前記映像信号に基づく映像を表示手段で表示させる制御をする請求項１ないし請求項６のいずれかに記載の表示制御装置と、
を具備したことを特徴とした受信装置。
【請求項８】
所定の放送方式で放送され所定の映像方式で映像を表示させるための映像信号に基づく映像を表示可能な表示手段と、
前記映像信号を受信して、この映像信号に基づく映像を前記表示手段で表示させる制御をする請求項７に記載の受信装置と、
を具備したことを特徴とした表示装置。
【請求項９】
請求項８に記載の表示装置であって、
移動体に配設された
ことを特徴とした表示装置。
【請求項１０】
所定の放送方式で放送され所定の映像方式で映像を表示させるための映像信号に基づく映像を表示手段で表示させる制御をする表示制御方法であって、
前記映像信号を受信可能な映像信号受信手段で受信させる前記映像信号の放送方式を設定し、
現在位置を検出し、
前記設定した放送方式および前記検出した現在位置に基づいて、前記映像方式を決定し、
この決定した前記映像方式に基づいて、前記映像信号受信手段で受信された前記映像信号に基づく映像を前記表示手段で表示させる制御をする
ことを特徴とする表示制御方法。
【請求項１１】
請求項１０に記載の表示制御方法を演算手段に実行させる
ことを特徴とした表示制御プログラム。
【請求項１２】
請求項１１に記載の表示制御プログラムが演算手段にて読取可能に記録された
ことを特徴とする表示制御プログラムを記録した記録媒体。
【発明の詳細な説明】
【技術分野】
【０００１】
本発明は、所定の放送方式で放送され所定の映像方式で映像を表示させるための映像信号に基づく映像を表示手段で表示させる表示制御装置、その方法、そのプログラム、そのプログラムを記録した記録媒体、表示装置、および、受信装置に関する。
【背景技術】
【０００２】
テレビジョン（以下、テレビと称す）の放送方式や映像方式は、国毎に異なる状態で設定されている。そして、このような各種設定が異なるテレビ放送を受信して表示装置で表示させる構成が知られている（例えば、特許文献１参照）。
【０００３】
この特許文献１に記載のものは、受信アンテナで受信したＴＶ（テレビ）信号を同調手段に入力する。そして、同調手段にて、放送方式情報に基づいてＩＦ信号を映像・音声検波手段に入力する。この後、映像・音声検波手段にて、放送方式情報に基づいて映像・音声を検波し、映像信号をモニタへ供給して表示せる。また、ナビゲータにて、自車位置を検出する。そして、放送エリア判別手段にて、現放送方式と現位置とが一致していない場合、現位置と一致する放送方式をメモリから選択して読み出して放送方式を自動的に切り換える構成が採られている。
【０００４】
【特許文献１】国際公開ＷＯ９９／６６７２３号公報（第４頁−第６頁）
【発明の開示】
【発明が解決しようとする課題】
【０００５】
ところで、上述したような特許文献１のような構成には、入力される映像信号に基づいて映像方式を判別し、自動的に変更可能な表示手段を用いることが考えられる。しかしながら、特許文献１に記載のような構成に映像方式を自動的に変更可能な表示手段を用いた構成では、例えば建造物の陰を通過することにより受信中の映像信号のレベルやタイミングが変動した場合、変動前とは異なる映像方式の映像信号が受信されたと判別して、受信中の映像信号とは異なる映像方式に変更してしまうおそれがある。このため、受信中の映像信号に対応した各種パラメータを設定できなくなり、映像を適切に表示できないおそれがあるという問題点が一例として挙げられる。
【０００６】
本発明の目的は、このような実情などに鑑みて、表示手段で適切に映像を表示させることが可能な表示制御装置、その方法、そのプログラム、そのプログラムを記録した記録媒体、表示装置、および、受信装置を提供することである。
【課題を解決するための手段】
【０００７】
請求項１に記載の発明は、所定の放送方式で放送され所定の映像方式で映像を表示させるための映像信号に基づく映像を表示手段で表示させる制御をする表示制御装置であって、前記映像信号を受信可能な映像信号受信手段で受信させる前記映像信号の放送方式を設定する放送方式設定手段と、現在位置を検出する現在位置検出手段と、前記放送方式設定手段で設定された放送方式および前記現在位置検出手段で検出された現在位置に基づいて、前記映像方式を決定する映像方式決定手段と、この映像方式決定手段にて決定された前記映像方式に基づいて、前記映像信号受信手段で受信された前記映像信号に基づく映像を前記表示手段で表示させる制御をする表示制御手段と、を具備したことを特徴とした表示制御装置である。
【０００８】
請求項７に記載の発明は、所定の放送方式で放送され所定の映像方式で映像を表示させるための映像信号を受信可能な映像信号受信手段と、この映像信号受信手段で受信された前記映像信号に基づく映像を表示手段で表示させる制御をする請求項１ないし請求項６のいずれかに記載の表示制御装置と、を具備したことを特徴とした受信装置である。
【０００９】
請求項８に記載の発明は、所定の放送方式で放送され所定の映像方式で映像を表示させるための映像信号に基づく映像を表示可能な表示手段と、前記映像信号を受信して、この映像信号に基づく映像を前記表示手段で表示させる制御をする請求項７に記載の受信装置と、を具備したことを特徴とした表示装置である。
【００１０】
請求項１０に記載の発明は、所定の放送方式で放送され所定の映像方式で映像を表示させるための映像信号に基づく映像を表示手段で表示させる制御をする表示制御方法であって、前記映像信号を受信可能な映像信号受信手段で受信させる前記映像信号の放送方式を設定し、現在位置を検出し、前記設定した放送方式および前記検出した現在位置に基づいて、前記映像方式を決定し、この決定した前記映像方式に基づいて、前記映像信号受信手段で受信された前記映像信号に基づく映像を前記表示手段で表示させる制御をすることを特徴とする表示制御方法である。
【００１１】
請求項１１に記載の発明は、請求項１０に記載の表示制御方法を演算手段に実行させることを特徴とした表示制御プログラムである。
【００１２】
請求項１２に記載の発明は、請求項１１に記載の表示制御プログラムが演算手段にて読取可能に記録されたことを特徴とする表示制御プログラムを記録した記録媒体である。
【発明を実施するための最良の形態】
【００１３】
以下、本発明に係る一実施の形態を図面に基づいて説明する。本実施の形態では、移動体としての車両に搭載される表示装置としての車載用ＴＶ（テレビ）装置であって、欧州の各国で放送される放送方式や映像方式が異なるテレビ放送を受信して、映像を表示させたり音声を出力させたりする構成を例示して説明する。図１は、本実施の形態に係る車載用ＴＶ装置の概略構成を示すブロック図である。図２は、グループ情報ＤＢ（データベース）の概略構成を示す模式図である。
【００１４】
〔車載用ＴＶ装置の構成〕
図１において、１００は車載用ＴＶ装置である。この車載用ＴＶ装置１００は、放送方式や映像方式が異なるテレビ放送の映像や音声を出力させるためのテレビ信号を受信する。そして、このテレビ信号の映像信号に基づいて、所定の映像方式の映像を表示させる。さらに、テレビ信号の音声信号に基づいて、音声を出力させる。そして、車載用ＴＶ装置１００は、本体部２００と、出力部３００と、を備えている。なお、以下において、各国の放送局が使用する周波数の割り当て、すなわち各国において受信可能なテレビ放送の周波数を、チャンネルプランと称して説明する。
【００１５】
本体部２００は、受信したテレビ信号に基づいて、所定の映像方式の映像を出力部３００で表示させるとともに、音声を出力部３００で出力させる処理をする。そして、本体部２００は、映像信号受信手段としてのＴＶチューナ２１０と、放送方式設定手段および周波数設定手段としてのＣＨ（チャンネル）設定手段２２０と、操作手段２３０と、現在位置検出手段としての自車位置検出手段２４０と、記憶手段２５０と、映像処理部２６０と、音声処理部２７０と、を備えている。
【００１６】
ＴＶチューナ２１０は、ＣＨ設定手段２２０と、映像処理部２６０の映像信号処理手段２６１と、音声処理部２７０と、に接続されている。また、ＴＶチューナ２１０には、放送波を受信する図示しないアンテナが接続されている。このＴＶチューナ２１０は、ＣＨ設定手段２２０の制御により、放送方式や受信周波数が異なるテレビ信号を適宜受信する。具体的には、ＴＶチューナ２１０は、受信するテレビ信号の放送方式に関する受信放送方式情報と、チャンネルプランに関する設定チャンネルプラン情報と、をＣＨ設定手段２２０から取得する。そして、アンテナにて受信され、受信放送方式情報の放送方式と、設定チャンネルプラン情報のチャンネルプランと、に対応するテレビ信号を取得する。さらに、ＴＶチューナ２１０は、この取得したテレビ信号の映像信号を映像信号処理手段２６１へ出力するとともに、音声信号を音声処理部２７０へ出力する。
【００１７】
ＣＨ設定手段２２０は、プログラムとして構築され、操作手段２３０と、映像処理部２６０の映像方式決定手段２６２と、に接続されている。このＣＨ設定手段２２０は、操作手段２３０からチャンネルプランを設定する旨の操作信号を取得すると、その旨の設定チャンネルプラン情報を生成する。また、操作手段２３０からＴＶチューナ２１０で受信させる放送方式を設定する旨の操作信号を取得すると、その旨の受信放送方式情報を生成する。そして、これら設定チャンネルプラン情報および受信放送方式情報を、ＴＶチューナ２１０および映像方式決定手段２６２へ出力する。
【００１８】
操作手段２３０は、映像処理部２６０の表示制御手段２６３と、音声処理部２７０と、に接続されている。この操作手段２３０は、本体部２００の図示しないケース体の例えば正面に配設され、入力操作される図示しない各種操作ボタンや操作つまみなどを有している。これら操作ボタンや操作つまみなどの入力操作は、放送方式、チャンネルプラン、音量、画質などの設定入力である。そして、操作手段２３０は、設定事項の入力操作により、設定事項に対応する操作信号をＣＨ設定手段２２０、表示制御手段２６３、音声処理部２７０へ適宜出力して設定入力させる。
【００１９】
自車位置検出手段２４０は、プログラムとして構築され、映像方式決定手段２６２に接続されている。また、自車位置検出手段２４０には、図示しない、速度センサ、方位角センサ、ＧＰＳ（Global Positioning System）受信部などを備えたセンサ部が接続されている。そして、自車位置検出手段２４０は、センサ部からの情報に基づいて、車両の現在位置を検出する。具体的には、自車位置検出手段２４０は、センサ部からの車両の速度、走行方向、現在位置の擬似座標値に関する情報を取得し、これらに基づいて、車両の現在位置を検出する。そして、この検出した現在位置に関する自車位置検出情報を生成して、映像方式決定手段２６２へ出力する。
【００２０】
記憶手段２５０は、映像方式決定手段２６２に接続されている。この記憶手段２５０は、図２に示すようなグループ情報ＤＢ５００を記憶するグループ情報ＤＢ記憶領域と、地図情報を記憶する図示しない地図情報記憶領域と、を備えている。
【００２１】
グループ情報ＤＢ５００は、ＴＶチューナ２１０で受信された映像信号に基づく映像を表示させる際の映像方式の決定に利用される。そして、グループ情報ＤＢ５００は、複数の映像関連情報としてのグループ別テレビ情報５１０を備えている。
【００２２】
グループ別テレビ情報５１０は、映像方式、チャンネルプラン、および、放送方式が同一の国から構成される１つのグループにおけるテレビ放送に関する情報である。そして、グループ別テレビ情報５１０は、映像方式情報５１１と、周波数情報としてのチャンネルプラン情報５１２と、放送方式情報５１３と、所定領域情報としてのグループ国名情報５１４と、を備えている。
【００２３】
映像方式情報５１１は、映像方式を表す情報である。映像方式としては、ＰＡＬ方式、ＳＥＣＡＭ方式が例示できる。
【００２４】
チャンネルプラン情報５１２は、チャンネルプランを表す情報である。チャンネルプランとしては、Ｃ．Ｃ．Ｉ．Ｒ、ＩＴＡＲＹ、ＯＩＲＴなどが例示できる。
【００２５】
放送方式情報５１３は、放送方式を表す情報である。この放送方式情報５１３は、ＶＨＦ（very high frequency）の放送方式を表すＶＨＦ情報５１３Ａと、ＵＨＦ（ultrahigh frequency）の放送方式を表す５１３Ｂと、を備えている。ＶＨＦの放送方式としては、Ｂ方式、Ｄ方式などが例示できる。また、ＵＨＦの放送方式としては、Ｇ方式、Ｉ方式、Ｋ方式などが例示できる。
【００２６】
グループ国名情報５１４は、国名を表す情報である。
【００２７】
これら映像方式情報５１１、チャンネルプラン情報５１２、放送方式情報５１３、グループ国名情報５１４としては、映像方式、チャンネルプラン、放送方式、国名に対応する文字や数字を表すテキスト情報が例示できる。
【００２８】
映像処理部２６０は、プログラムとして構築され、ＴＶチューナ２１０から入力される映像信号を処理して、出力部３００で映像を表示させる処理をする。そして、映像処理部２６０は、映像信号処理手段２６１と、映像方式決定手段２６２と、表示制御手段２６３と、を備えている。ここで、ＣＨ設定手段２２０、自車位置検出手段２４０、記憶手段２５０、映像方式決定手段２６２、および、表示制御手段２６３にて、本発明の表示制御装置が構成されている。また、この表示制御装置、および、ＴＶチューナ２１０にて、本発明の受信装置が構成されている。なお、本発明の表示制御装置としては、記憶手段２５０を設けない構成としてもよい。
【００２９】
映像信号処理手段２６１は、映像方式決定手段２６２と、表示制御手段２６３と、に接続されている。この映像信号処理手段２６１は、ＴＶチューナ２１０から入力される映像信号を取得して、この映像信号の補正処理などを適宜実施する。そして、この補正処理などが実施された映像信号を処理映像信号として、表示制御手段２６３へ出力する。また、処理映像信号を映像方式決定手段２６２へ適宜出力する。
【００３０】
映像方式決定手段２６２は、表示制御手段２６３に接続されている。この映像方式決定手段２６２は、処理映像信号に基づく映像を出力部３００で表示させる際の映像方式を決定する。
【００３１】
具体的には、映像方式決定手段２６２は、設定チャンネルプラン情報および受信放送方式情報をＣＨ設定手段２２０から取得する。また、自車位置検出手段２４０から自車位置検出情報を取得する。そして、この自車位置検出情報と、記憶手段２５０の地図情報と、に基づいて、車両の現在位置を認識する。さらに、設定チャンネルプラン情報のチャンネルプランを表すチャンネルプラン情報５１２と、受信放送方式情報の放送方式を表す放送方式情報５１３と、車両の現在位置を含む国を表すグループ国名情報５１４と、を有するグループ別テレビ情報５１０（以下、第１の検索条件に一致するグループ別テレビ情報５１０と称す）を検索する。
【００３２】
映像方式決定手段２６２は、第１の検索条件に一致するグループ別テレビ情報５１０を検索できた場合、チャンネルプランおよび放送方式の組み合わせが現在位置に対応していると判断する。そして、このグループ別テレビ情報５１０の映像方式情報５１１の映像方式、すなわち現在位置に対応する映像方式を出力部３００で表示させる際の映像方式として決定して、その旨の決定映像方式情報を表示制御手段２６３へ出力する。また、映像方式決定手段２６２は、第１の検索条件に一致するグループ別テレビ情報５１０を検索できない場合、設定チャンネルプラン情報のチャンネルプランを表すチャンネルプラン情報５１２と、受信放送方式情報の放送方式を表す放送方式情報５１３と、を有するグループ別テレビ情報５１０（以下、第２の検索条件に一致するグループ別テレビ情報５１０と称す）を検索する。
【００３３】
映像方式決定手段２６２は、第２の検索条件に一致するグループ別テレビ情報５１０を検索できた場合、チャンネルプランおよび放送方式の組み合わせがグループ情報ＤＢ５００に存在すると判断する。そして、このグループ別テレビ情報５１０の映像方式情報５１１の映像方式、すなわちチャンネルプランおよび放送方式の組み合わせに対応する映像方式を、出力部３００で表示させる際の映像方式として決定して、決定映像方式情報を表示制御手段２６３へ出力する。また、映像方式決定手段２６２は、第２の検索条件に一致するグループ別テレビ情報５１０を検索できない場合、映像信号処理手段２６１からの処理映像信号に基づいて映像方式を決定する必要がある、すなわち自動検出で映像方式を決定する必要があると判断する。そして、処理映像信号を取得し自動検出で映像方式を適宜決定して、決定映像方式情報を表示制御手段２６３へ出力する。
【００３４】
表示制御手段２６３は、出力部３００の表示手段３１０に接続されている。この表示制御手段２６３は、処理映像信号に基づく映像を表示手段３１０で表示させる制御をする。具体的には、表示制御手段２６３は、映像信号処理手段２６１から入力される処理映像信号を取得する。また、映像方式決定手段２６２から決定映像方式情報を取得する。そして、決定映像方式情報の映像方式に基づいて、処理映像信号の各種パラメータを設定して、制御映像信号として表示手段３１０へ出力する。例えば、表示制御手段２６３は、決定映像方式情報の映像方式がＰＡＬ方式の場合、処理映像信号の各種パラメータをＰＡＬ方式に対応させて設定し、制御映像信号として表示手段３１０へ出力する。また、表示制御手段２６３は、操作手段２３０から画質を調整する旨の操作信号を取得すると、この調整に対応する状態で映像を表示させるための制御映像信号を表示手段３１０へ出力する。
【００３５】
音声処理部２７０は、出力部３００の音声出力手段３２０に接続されている。この音声処理部２７０は、ＴＶチューナ２１０から入力される音声信号を取得して、この音声信号の補正処理などを適宜実施する。そして、この補正処理などが実施された音声信号を処理音声信号として、音声出力手段３２０へ出力する。また、音声処理部２７０は、操作手段２３０から音質や音量を調整する旨の操作信号を取得すると、この調整に対応する状態で音声を表示させるための制御音声信号を音声出力手段３２０へ出力する。
【００３６】
出力部３００は、本体部２００の制御により、テレビ放送の映像や音声を出力する。そして、出力部３００は、表示手段３１０と、音声出力手段３２０と、を備えている。
【００３７】
表示手段３１０は、例えば車両のダッシュボードに配設されている。この表示手段３１０は、表示制御手段２６３から制御映像信号を取得する。そして、この制御映像信号に基づく映像を表示する。この表示手段３１０としては、液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００３８】
音声出力手段３２０は、例えば車両のダッシュボードやドアなどに配設された図示しないスピーカなどの発音手段を有している。この音声出力手段３２０は、音声処理部２７０から制御音声信号を取得する。そして、この制御音声信号に基づく音声を出力する。
【００３９】
〔車載用ＴＶ装置の動作〕
次に、車載用ＴＶ装置１００の動作として、テレビ放送の出力処理について、図面を参照して説明する。図３は、テレビ放送の出力処理を示すフローチャートである。
【００４０】
まず、車載用ＴＶ装置１００は、表示制御手段２６３にて、ＴＶチューナ２１０で受信させるテレビ信号のチャンネルプランおよび放送方式を、利用者に設定させるための表示画面を表示させる。この後、ＣＨ設定手段２２０は、所定のチャンネルプランおよび放送方式に設定する旨の入力操作を認識すると、設定チャンネルプラン情報および受信放送方式情報をＴＶチューナ２１０および映像方式決定手段２６２へ出力する。また、自車位置検出手段２４０は、センサ部からの情報に基づいて、車両の現在位置を検出して自車位置検出情報を映像方式決定手段２６２へ出力する。
【００４１】
そして、映像方式決定手段２６２は、設定チャンネルプラン情報に基づいて、チャンネルプランを認識する（ステップＳ１０１）。また、受信放送方式情報に基づいて、放送方式を認識する（ステップＳ１０２）。さらに、自車位置検出情報と、記憶手段２５０の地図情報と、に基づいて、車両の現在位置を認識する（ステップＳ１０３）。この後、映像方式決定手段２６２は、上述した第１の検索条件に一致するグループ別テレビ情報５１０を記憶手段２５０から検索できたか否かに基づいて、チャンネルプランおよび放送方式の組み合わせが現在位置に対応しているか否かを判断する（ステップＳ１０４）。
【００４２】
このステップＳ１０４において、第１の検索条件に一致するグループ別テレビ情報５１０を検索でき、チャンネルプランおよび放送方式の組み合わせが現在位置に対応していると判断した場合、この検索できたグループ別テレビ情報５１０に基づいて、車両の現在位置に対応する映像方式を出力部３００で表示させる際の映像方式として決定する（ステップＳ１０５）。
【００４３】
例えば、チャンネルプランがＣ．Ｃ．Ｉ．Ｒ、ＶＨＦおよびＵＨＦの放送方式がそれぞれＢ方式およびＧ方式、車両がドイツを走行中の場合、グループ別テレビ情報５１０に基づいて、ドイツの映像方式であるＰＡＬ方式を、出力部３００で表示させる際の映像方式として決定する。
【００４４】
この後、車載用ＴＶ装置１００は、映像方式決定手段２６２で決定された映像方式に基づいて、ＴＶチューナ２１０で受信したテレビ信号の映像信号に基づく映像を出力部３００で表示させるとともに、テレビ信号の音声信号に基づく音声を出力させる処理、すなわちテレビ放送の出力制御処理を実施する（ステップＳ１０６）。具体的には、映像方式決定手段２６２は、決定した映像方式の決定映像方式情報を表示制御手段２６３へ出力する。そして、表示制御手段２６３は、映像方式決定手段２６２から決定映像方式情報を取得するとともに、映像信号処理手段２６１から処理映像信号を取得すると、決定映像方式情報の映像方式に基づいて、処理映像信号に基づく映像を表示手段３１０で表示させる制御をする。また、音声処理部２７０は、テレビ信号の音声信号に基づく音声を音声出力手段３２０で出力させる処理をする。
【００４５】
一方、ステップＳ１０４において、第１の検索条件に一致するグループ別テレビ情報５１０を検索できず、チャンネルプランおよび放送方式の組み合わせが現在位置に対応していないと判断した場合、上述した第２の検索条件に一致するグループ別テレビ情報５１０を検索できたか否かに基づいて、チャンネルプランおよび放送方式の組み合わせがグループ情報ＤＢ５００に存在するか否かを判断する（ステップＳ１０７）。そして、このステップＳ１０７において、第２の検索条件に一致するグループ別テレビ情報５１０を検索でき、チャンネルプランおよび放送方式の組み合わせがグループ情報ＤＢ５００に存在していると判断した場合、この検索できたグループ別テレビ情報５１０に基づいて、チャンネルプランおよび放送方式の組み合わせに対応する映像方式を出力部３００で表示させる際の映像方式として決定して（ステップＳ１０８）、ステップＳ１０６の処理を実施する。
【００４６】
例えば、チャンネルプランがＣ．Ｃ．Ｉ．Ｒ、ＶＨＦおよびＵＨＦの放送方式がそれぞれＢ方式およびＧ方式、車両がポーランドを走行中の場合、グループ別テレビ情報５１０に基づいて、走行中のポーランドの映像方式であるＳＥＣＡＭ方式ではなくポーランドの隣接国であるドイツのＰＡＬ方式を、出力部３００で表示させる際の映像方式として決定する。
【００４７】
また、ステップＳ１０７において、第２の検索条件に一致するグループ別テレビ情報５１０を検索できず、チャンネルプランおよび放送方式の組み合わせがグループ情報ＤＢ５００に存在していないと判断した場合、自動検出で映像方式を決定する必要があると認識して（ステップＳ１０９）、ステップＳ１０６の処理を実施する。このステップＳ１０９の処理を実施した後にステップＳ１０６の処理を実施する場合、映像方式決定手段２６２は、映像信号処理手段２６１から処理映像信号を取得し、この取得した処理映像信号に基づいて自動検出で映像方式を決定して、決定映像方式情報を出力する。
【００４８】
〔車載用ＴＶ装置の作用効果〕
上述したように、上記実施の形態では、車載用ＴＶ装置１００は、ＣＨ設定手段２２０にてＴＶチューナ２１０で受信させる映像信号の放送方式を設定する。また、自車位置検出手段２４０にて車両の現在位置を検出する。そして、映像方式決定手段２６２は、ＴＶチューナ２１０で受信させる映像信号の放送方式、および、車両の現在位置に基づいて、映像信号に基づく映像を出力部３００の表示手段３１０で表示させる際の映像方式を決定する。この後、表示制御手段２６３は、この決定された映像方式に基づいて、ＴＶチューナ２１０で受信された映像信号に基づく映像を表示手段３１０で表示させる制御をする。
【００４９】
このため、表示制御手段２６３の制御により、映像方式決定手段２６２で決定された映像方式に基づいて、受信中の映像信号に基づく映像を表示手段３１０で表示させるので、受信中の映像信号のレベルやタイミングが変動した場合であっても、変動前とは異なる映像方式の映像信号が受信されたと判別することがなくなり、受信中の映像信号とは異なる映像方式に基づいて映像を表示させることを防止できる。したがって、表示手段３１０に映像を適切に表示させることができる。
【００５０】
また、ＣＨ設定手段２２０は、ＴＶチューナ２１０で受信させるテレビ信号のチャンネルプランを設定する。そして、映像方式決定手段２６２は、チャンネルプラン、放送方式、および、車両の現在位置に基づいて、映像方式を決定する。このため、より多くの情報に基づいて、より適切に映像方式を決定できる。
【００５１】
さらに、映像方式情報５１１と、チャンネルプラン情報５１２と、放送方式情報５１３と、グループ国名情報５１４と、を有する複数のグループ別テレビ情報５１０を記憶する記憶手段２５０を設けている。そして、映像方式決定手段２６２は、設定されたチャンネルプランを表すチャンネルプラン情報５１２と、設定された放送方式を表す放送方式情報５１３と、車両の現在位置を含む国を表すグループ国名情報５１４と、を有するグループ別テレビ情報５１０、すなわち第１の検索条件に一致するグループ別テレビ情報５１０を検索する。そして、検索できた場合、この検索したグループ別テレビ情報５１０の映像方式情報５１１の映像方式を、映像を表示させる際の映像方式として決定する。このため、記憶手段２５０からグループ別テレビ情報５１０を検索するだけの簡単な構成で映像方式を決定でき、映像方式の決定処理を迅速にできる。
【００５２】
また、映像方式決定手段２６２は、第１の検索条件に一致するグループ別テレビ情報５１０を検索できない場合、設定されたチャンネルプランを表すチャンネルプラン情報５１２と、設定された放送方式を表す放送方式情報５１３と、を有するグループ別テレビ情報５１０、すなわち第２の検索条件に一致するグループ別テレビ情報５１０を検索する。そして、検索できた場合、この検索したグループ別テレビ情報５１０の映像方式情報５１１の映像方式を、映像を表示させる際の映像方式として決定する。このため、例えば車両がドイツからポーランドに入国した後に、チャンネルプランおよび放送方式を変更せずにドイツでのテレビ放送を視聴し続けたい場合、現在位置のポーランドではなくドイツでの映像方式に基づいて映像信号に基づく映像を表示させることができる。したがって、利用者の意志を反映させた状態で映像を適切に表示させることができ、車載用ＴＶ装置１００の利便性を向上できる。
【００５３】
そして、映像方式決定手段２６２は、第２の検索条件に一致するグループ別テレビ情報５１０を検索できない場合、映像信号処理手段２６１からの処理映像信号に基づいて映像方式を決定する。このため、例えば利用者がチャンネルプランおよび放送方式の組み合わせを、実在しない組み合わせに設定した場合であっても、映像処理信号に基づいて映像方式を決定できる。したがって、車載用ＴＶ装置１００の利便性をより向上できる。
【００５４】
また、本発明の表示制御装置を車載用の車載用ＴＶ装置１００に適用している。このため、現在位置している国に適宜対応した映像方式で映像を適切に表示させることができ、快適な移動空間を提供できる。
【００５５】
〔実施の形態の変形〕
なお、本発明は、上述した一実施の形態に限定されるものではなく、本発明の目的を達成できる範囲で以下に示される変形をも含むものである。
【００５６】
すなわち、例えば図１に示すような車載用ＴＶ装置６００として、以下のような処理を実施する構成としてもよい。すなわち、車載用ＴＶ装置６００の本体部７００のＣＨ設定手段７２０を、自車位置検出手段２４０と、記憶手段２５０と、に接続する。そして、ＣＨ設定手段７２０にて、自車位置検出手段２４０から自車位置検出情報を取得して、この自車位置検出情報と、記憶手段２５０の地図情報と、に基づいて、車両の現在位置を認識する。さらに、この認識した現在位置を含む国を表すグループ国名情報５１４を有するグループ別テレビ情報５１０を検索する。そして、この検索したグループ別テレビ情報５１０のチャンネルプラン情報５１２および放送方式情報５１３に基づいて、設定チャンネルプラン情報および受信放送方式情報を生成して出力する処理、すなわちＴＶチューナ２１０で受信させるテレビ信号のチャンネルプランおよび放送方式を設定する処理を実施する構成としてもよい。このような構成にすれば、利用者にチャンネルプランおよび放送方式を設定入力させる必要がなくなり、車載用ＴＶ装置６００の利便性を向上できる。
【００５７】
また、映像方式決定手段２６２にて、設定された放送方式と、車両の現在位置と、に基づいて、映像方式を決定する構成としてもよい。すなわち、設定された放送方式を表す放送方式情報５１３と、車両の現在位置を含む国を表すグループ国名情報５１４と、を有するグループ別テレビ情報５１０を検索することにより、映像方式を決定する構成としてもよい。このような構成にすれば、映像方式の決定処理時における処理負荷を低減できる。
【００５８】
さらに、車載用ＴＶ装置１００の記憶手段２５０にグループ情報ＤＢ５００を記憶させずに、図示しないサーバ装置のサーバ記憶手段にグループ情報ＤＢ５００を記憶させて、以下のような処理を実施する構成としてもよい。すなわち、車載用ＴＶ装置１００で認識されたチャンネルプラン、放送方式、現在位置に関する情報を図示しないサーバ装置に送信する。そして、サーバ装置にて、送信された情報に基づいてグループ別テレビ情報５１０を検索して、車載用ＴＶ装置１００に送信する構成としてもよい。このような構成にすれば、映像方式決定手段２６２にグループ別テレビ情報５１０を検索する機能を設ける必要がなくなり、映像方式決定手段２６２の処理負荷を低減できる。
【００５９】
そして、映像方式決定手段２６２にて、第１の検索条件や第２の検索条件に一致するグループ別テレビ情報５１０を検索できない場合、すなわちチャンネルプランおよび放送方式の組み合わせが現在位置に対応していない、あるいはグループ情報ＤＢ５００に存在していない場合、チャンネルプランまたは放送方式が誤って設定されていると判断して、再設定を促す旨を報知する構成としてもよい。このような構成にすれば、利用者が誤ってチャンネルプランや放送方式を設定した場合、再設定させることができ、映像をより適切に表示させることができる。
【００６０】
また、ＣＨ設定手段２２０、自車位置検出手段２４０、記憶手段２５０、映像方式決定手段２６２、および、表示制御手段２６３を独立させた表示制御装置としてもよい。さらに、この表示制御装置、および、ＴＶチューナ２１０を独立させた受信装置としてもよい。そして、本発明の表示制御装置、受信装置、表示装置を車載用ＴＶ装置１００に適用した構成を例示したが、家庭などに設置されるＴＶ装置、パーソナルコンピュータ、携帯電話、ＰＤＡ（Personal Digital Assistant）など、映像信号に基づく映像を表示させるいかなる構成に適用してもよい。また、移動体としては、車両に限らず鉄道、船舶、飛行機なども対象とすることができる。
【００６１】
また、上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、上述したように取扱が容易で、利用の拡大が容易に図れる。
【００６２】
その他、本発明の実施の際の具体的な構造および手順は、本発明の目的を達成できる範囲で他の構造などに適宜変更できる。
【００６３】
〔実施の形態の効果〕
上述したように、上記実施の形態では、車載用ＴＶ装置１００は、ＣＨ設定手段２２０にてＴＶチューナ２１０で受信させる映像信号の放送方式を設定するとともに、自車位置検出手段２４０にて車両の現在位置を検出する。そして、映像方式決定手段２６２は、ＴＶチューナ２１０で受信させる映像信号の放送方式、および、車両の現在位置に基づいて、映像信号に基づく映像を表示手段３１０で表示させる際の映像方式を決定する。この後、表示制御手段２６３は、この決定された映像方式に基づいて、映像信号に基づく映像を表示手段３１０で表示させる制御をする。このため、表示制御手段２６３の制御により、映像方式決定手段２６２で決定された映像方式に基づいて、受信中の映像信号に基づく映像を表示手段３１０で表示させるので、受信中の映像信号のレベルやタイミングが変動した場合であっても、変動前とは異なる映像方式の映像信号が受信されたと判別することがなくなり、受信中の映像信号とは異なる映像方式に基づいて映像を表示させることを防止できる。受信中の映像信号とは異なる映像方式に基づいて映像を表示させることを防止できる。したがって、表示手段３１０に映像を適切に表示させることができる。
【図面の簡単な説明】
【００６４】
【図１】本発明の一実施の形態および他の実施の形態に係る車載用ＴＶ装置の概略構成を示すブロック図である。
【図２】前記一実施の形態におけるグループ情報ＤＢの概略構成を示す模式図である。
【図３】前記一実施の形態におけるテレビ放送の出力処理を示すフローチャートである。
【符号の説明】
【００６５】
１００，６００…表示装置としての車載用ＴＶ装置
２１０…受信装置を構成する映像信号受信手段としてのＴＶチューナ
２２０，７２０…表示制御装置および受信装置を構成する放送方式設定手段および周波数設定手段としてのＣＨ設定手段
２４０…表示制御装置および受信装置を構成する現在位置検出手段としての自車位置検出手段
２５０…表示制御装置および受信装置を構成する記憶手段
２６２…表示制御装置および受信装置を構成する映像方式決定手段
２６３…表示制御装置および受信装置を構成する表示制御手段
３１０…表示手段
５１０…映像関連情報としてのグループ別テレビ情報
５１１…映像方式情報
５１２…周波数情報としてのチャンネルプラン情報
５１３…放送方式情報
５１４…所定領域情報としてのグループ国名情報
【図１】
2007134766.tif 000003
【図２】
2007134766.tif 000004
【図３】
2007134766.tif 000005